(57)【要約】      （修正有）【課題】たばこが配付されたものであることを示す目印を容易に付すことができ、且つ、配付されずに残ったたばこを販売用商品に戻すことができるたばこ包装容器用スリーブを提供する。【解決手段】たばこを収容するたばこ包装容器Ａの外周面に装着されるたばこ包装容器用スリーブ１であって、たばこ包装容器Ａの外周面を囲む筒状部材２と、筒状部材２のたばこ包装容器Ａに対面する内周面２ａの少なくとも一部に接着されたシート状の接着部材３と、接着部材３のたばこ包装容器Ａ側の接着面を覆うシート状の剥離部材４と、を備え、剥離部材４は、筒状部材２の外側に張り出すつまみ片４ｂを有する。これにより、予め筒状部材２にたばこ包装容器Ａを挿入しておき、つまみ片４ｂを操作して剥離部材４を接着部材３から剥離させるだけで、たばこ包装容器Ａとたばこ包装容器用スリーブ１とを接着できる。【選択図】図１
0003198975.tif 000002
【実用新案登録請求の範囲】
【請求項１】
たばこを収容するたばこ包装容器の外周面に装着されるたばこ包装容器用スリーブであって、
前記たばこ包装容器の前記外周面を囲む筒状部材と、
前記筒状部材の前記たばこ包装容器に対面する内周面の少なくとも一部に接着されたシート状の接着部材と、
前記接着部材の前記たばこ包装容器側の接着面を覆うシート状の剥離部材と、を備え、
前記剥離部材は、前記筒状部材の外側に張り出すつまみ片を有する、たばこ包装容器用スリーブ。
【請求項２】
前記剥離部材は、前記接着面を覆うカバー部を有し、
前記つまみ片は、前記カバー部から折り返されて前記筒状部材の外側に張り出す、請求項１に記載のたばこ包装容器用スリーブ。
【請求項３】
前記接着部材は、
前記筒状部材に接着された第１接着剤と、
前記剥離部材に接着された第２接着剤と、
前記第１接着剤及び前記第２接着剤の間に配置された複数層からなる基材と、
を有する請求項１又は２に記載のたばこ包装容器用スリーブ。
【請求項４】
前記筒状部材は、前記たばこ包装容器の前記外周面の全体を覆うように形成された請求項１〜３の何れか一項に記載のたばこ包装容器用スリーブ。
【請求項５】
前記筒状部材は、切取可能な切取部を更に有し、
前記切取部には、前記たばこ包装容器に収容された前記たばこが配付された品であることの確証となる情報が表示される請求項１〜４の何れか一項に記載のたばこ包装容器用スリーブ。
【請求項６】
前記つまみ片には、前記たばこ包装容器に収容された前記たばこが配付された品であることの確証となる情報が表示される請求項１〜５の何れか一項に記載のたばこ包装容器用スリーブ。
【請求項７】
前記筒状部材は、前記接着部材が接着された本体部と、前記本体部から分離可能な余剰部と、前記本体部と前記余剰部とを区画し、前記筒状部材の軸線方向と交差する方向に線状に切取可能な周方向ジップ部とを有する請求項１〜６の何れか一項に記載のたばこ包装容器用スリーブ。
【請求項８】
前記筒状部材は、開放された上縁部と下縁部とを有し、
前記筒状部材は、前記上縁部から前記下縁部までを連続的に結ぶ線状で、且つ切取可能な縦方向ジップ部を有する請求項１〜６の何れか一項に記載のたばこ包装容器用スリーブ。
【考案の詳細な説明】
【技術分野】
【０００１】
本考案は、たばこを収容するたばこ包装容器に装着されるたばこ包装容器用スリーブに関する。
【背景技術】
【０００２】
従来、たばこを収容するたばこ包装容器に所定の情報を付す方法として、直方体形状のたばこ包装容器の一方の面に写真入りシールを貼ると共に、当該一方の面と対向する他方の面に写真の説明が記載されたシールを貼ることが知られている（特許文献１参照）。
【先行技術文献】
【特許文献】
【０００３】
【特許文献１】実開昭６１−１９３７９９号公報
【考案の概要】
【考案が解決しようとする課題】
【０００４】
ところで、例えば店頭で客等にたばこを配付（サンプリング）する場合には、配付されたたばこがサンプリング品であることを示す目印がたばこ包装容器に付されていること、及び、目印が容易には抹消できないことが求められる。ここで、特許文献１に記載された方法により、配付されたたばこがサンプリング品である旨を表示するシールをたばこ包装容器に貼ることも考えられる。
【０００５】
しかしながら、この方法では、配付の度にたばこ包装容器の適切な場所へシールを貼る必要があり、手間が掛かる。この手間を無くすため、配付に先立って予めたばこ包装容器へシールを貼っておくと、シールは容易に剥がせないので、配付されずに残ったたばこ包装容器を販売用商品に戻すことができなくなるという問題があった。
【０００６】
本考案は、上記課題を解決するためになされたものであり、たばこが配付されたものであることを示す目印を容易に付すことができ、且つ、配付されずに残ったたばこを販売用商品に戻すことができるたばこ包装容器用スリーブを提供することを目的とする。
【課題を解決するための手段】
【０００７】
本考案は、たばこを収容するたばこ包装容器の外周面に装着されるたばこ包装容器用スリーブであって、たばこ包装容器の外周面を囲む筒状部材と、筒状部材のたばこ包装容器に対面する内周面の少なくとも一部に接着されたシート状の接着部材と、接着部材のたばこ包装容器側の接着面を覆うシート状の剥離部材と、を備え、剥離部材は、筒状部材の外側に張り出すつまみ片を有する。
【０００８】
このたばこ包装容器用スリーブでは、筒状部材にたばこ包装容器が挿入された状態で、剥離部材のつまみ片を操作して当該剥離部材を接着部材の接着面から剥離させることによって、たばこ包装容器とたばこ包装容器用スリーブとを当該たばこ包装容器用スリーブの接着部材により容易に接着することができる。このため、配付に先立って予め筒状部材にたばこ包装容器を挿入しておき、配付の度につまみ片を操作して剥離部材を接着部材から剥離させるだけで、たばこ包装容器とたばこ包装容器用スリーブとを容易に接着できる。このとき、例えば筒状部材にサンプリング品であることを示す目印を付しておくことにより、配付されたたばこがサンプリング品であることを示す目印がたばこ包装容器に付されることとなる。また、配付に先立って予め筒状部材にたばこ包装容器を挿入したとしても、この状態ではたばこ包装容器とたばこ包装容器用スリーブとは接着されていないため、筒状部材からたばこ包装容器を抜き取ることができる。以上により、たばこが配付されたものであることを示す目印を容易に付すことができ、且つ、配付されずに残ったたばこを販売用商品に戻すことができる。
【０００９】
ここで、剥離部材は、接着面を覆うカバー部を有し、つまみ片は、カバー部から折り返されて筒状部材の外側に張り出していてもよい。この場合、筒状部材の外側に張り出したつまみ片を例えば指先でつまんで引くと、剥離部材の折り返し部分においてカバー部が接着部材から剥離する。更につまみ片を引き続けると、カバー部が接着部材から順次剥離し、最終的には、接着部材の全面に亘って剥離する。以上により、つまみ片を引くだけの簡単な操作によってたばこ包装容器とたばこ包装容器用スリーブとを接着することができるため、たばこが配付されたものであることを示す目印を一層容易に付すことができる。
【００１０】
また、接着部材は、筒状部材に接着された第１接着剤と、剥離部材に接着された第２接着剤と、第１接着剤及び第２接着剤の間に配置された複数層からなる基材と、を有していてもよい。この場合、たばこ包装容器にたばこ包装容器用スリーブを接着した後、たばこ包装容器からたばこ包装容器用スリーブを剥がそうとすると、複数層からなる基材は何れかの層間で剥離し、第１接着剤側の層は筒状部材に残り、第２接着剤側の層はたばこ包装容器側に残る。つまり、たばこ包装容器側に残った層が目印として残るので、たばこが配付されたものであることを示す目印を容易には抹消できない。
【００１１】
また、筒状部材は、たばこ包装容器の外周面の全体を覆うように形成されていてもよい。この場合、広告表示用として筒状部材を用いる際に、広告表示用の広いスペースを確保できる。
【００１２】
また、筒状部材は、切取可能な切取部を更に有し、切取部には、たばこ包装容器に収容されたたばこが配付された品であることの確証となる情報が表示されてもよい。この場合、たばこを配付する際に切取部を切り取って回収するだけで、そのたばこが配付されたことの確証とすることができる。
【００１３】
また、つまみ片には、たばこ包装容器に収容されたたばこが配付された品であることの確証となる情報が表示されてもよい。この場合、たばこをサンプリング品として配付する際に取り外された剥離部材を回収するだけで、そのたばこが配付されたことの確証とすることができる。
【００１４】
また、筒状部材は、接着部材が接着された本体部と、本体部から分離可能な余剰部と、本体部と余剰部とを区画し、筒状部材の軸線方向と交差する方向に線状に切取可能な周方向ジップ部とを有してもよい。この場合、周方向ジップ部を切り取ることで必然的に余剰部は本体部から切り離される。この余剰部が、たばこ包装容器の開閉式の上蓋に対応する位置にあれば、余剰部を本体部から分離除去することで、上蓋の開閉動作時における上蓋と筒状部材との干渉を防ぐことができる。
【００１５】
また、筒状部材は、開放された上縁部と下縁部とを有し、筒状部材は、上縁部から下縁部までを連続的に結ぶ線状で、且つ切取可能な縦方向ジップ部を有してもよい。この場合、縦方向ジップ部を切り取ることで筒状部材が帯状に展開される。これにより、筒状部材をたばこ包装容器から容易に剥がすことが可能となる。そして、筒状部材をたばこ包装容器から剥がすことにより、たばこ包装容器の上蓋の開閉動作時における上蓋と筒状部材との干渉を防ぐことができる。また、縦方向ジップ部をたばこ包装容器用スリーブの左右何れかの側面に設けた場合、たばこ包装容器用スリーブの前後面にジップ部を設ける必要がないことから、周方向ジップ部を設ける場合に比較して広告表示用のスペースを広く確保できる。
【考案の効果】
【００１６】
本考案によれば、たばこが配付されたものであることを示す目印を容易に付すことができ、且つ、配付されずに残ったたばこを販売用商品に戻すことができる。
【図面の簡単な説明】
【００１７】
【図１】実施形態に係るたばこ包装容器用スリーブを示す斜視図である。
【図２】たばこ包装容器用スリーブの筒状部材の展開図である。
【図３】たばこ包装容器用スリーブの接着部材及び剥離部材を筒状部材に接着する前の状態を示す平面図である。
【図４】図１のＩＶ−ＩＶ線に沿った断面図であり、筒状部材、接着部材及び剥離部材の配置を示す概略断面図である。
【図５】たばこ包装容器用スリーブの周方向ジップ部を切り取った状態を示す斜視図である。
【図６】変形例に係るたばこ包装容器用スリーブを示す斜視図である。
【図７】他の変形例に係るたばこ包装容器用スリーブを示す斜視図である。
【考案を実施するための形態】
【００１８】
以下、図面を参照して、本考案に係るたばこ包装容器用スリーブの好適な実施形態について詳細に説明する。なお、全図中、同一又は相当部分には同一符号を付すこととする。また、以下の説明において、たばこ包装容器を立てて置いた場合の上下方向を「上下」とし、たばこ包装容器の四つの側面の内、幅の広い側面に垂直な方向を「前後」、幅の狭い側面に垂直な方向を「左右」とする。なお、たばこ包装容器は柔らかい素材からなるソフトタイプと、形状安定性の高いボックスタイプとが存在するが、以下の実施形態ではボックスタイプを例示する。そして、ボックスタイプにおいてたばこ包装容器の前後方向における正面側を「前」、背面側を「後」とする。
【００１９】
図１は、実施形態に係るたばこ包装容器用スリーブを示す斜視図であり、図２は、たばこ包装容器用スリーブの筒状部材の展開図である。図１及び図２に示すように、本実施形態に係るたばこ包装容器用スリーブ１は、例えば、たばこを客等にサンプル品として配付する場合に使用される。たばこ包装容器用スリーブ１は、たばこを収容するたばこ包装容器Ａの上面及び下面を除く四つの側面（以下「外周面」という）Ａａを取り囲むように装着される。たばこ包装容器用スリーブ１は、筒状部材２と、接着部材３と、剥離部材４と、を備えている。なお、たばこ包装容器用スリーブ１の材質は紙であることが好ましいが、これに限定されず、プラスチック等であってもよい。
【００２０】
たばこ包装容器Ａ（図５参照）は、上下方向に長い直方体形状を呈し、たばこを収容する箱部Ａｂと、箱部Ａｂの上端を開閉する上蓋Ａｃとを有し、箱部Ａｂと上蓋Ａｃとは、通常、外装フィルムで覆われている（図示省略）。より具体的には、箱部Ａｂは、外箱Ａｄと内箱Ａｅとの二重構造になっており、開封前の状態において外箱Ａｄと上蓋Ａｃとは一体になっている。たばこ包装容器Ａの前面及び左右両側面には、外箱Ａｄと上蓋Ａｃとに切り離す切断線Ａｆが形成され、たばこ包装容器Ａの後面には、切断線Ａｆの両端を結ぶように左右方向に延在する折曲線Ａｇが形成されている。上蓋Ａｃは、折曲線Ａｇを回動中心軸線Ｌ１として後方へ回動することにより開閉する。また、上蓋Ａｃを閉じた際には、内箱Ａｅに重なるように収まる。
【００２１】
筒状部材２は、たばこ包装容器Ａに所定の情報を付す部分であり、たばこ包装容器Ａの外周面Ａａの全面を覆う。この所定の情報として、例えば、配付されたたばこがサンプリング品であることを示す目印が付されており、一例として、本実施形態では筒状部材２の左右両側面に「ＳＡＭＰＬＥ」との文字５が付されている。また、他の所定の情報として、筒状部材２の前後面の略全面に各種広告の表示６が付されてされている。
【００２２】
筒状部材２のたばこ包装容器Ａに対面する内周面２ａは、たばこ包装容器Ａの外周面Ａａに対して略同形に形成されている。このため、筒状部材２は、たばこ包装容器Ａの外周面Ａａの全体を覆うこととなる。また、筒状部材２は、たばこ包装容器Ａの前後面及び左右両側面に沿って覆う矩形筒状を呈し、たばこ包装容器Ａの上下面に対応する部位は開放されている。このため、筒状部材２は、たばこ包装容器Ａに対して前後左右方向に固定されると共に上下方向に摺動可能となる。
【００２３】
筒状部材２は、たばこ包装容器用スリーブ１がたばこ包装容器Ａの外周面Ａａに装着された状態において、たばこ包装容器Ａの外周面Ａａのほとんどを覆う本体部２ｂと、本体部２ｂから分離可能な余剰部２ｃと、本体部２ｂと余剰部２ｃとを区画し、筒状部材２の軸線Ｌ２方向と交差する方向に線状に切取可能なジップ部（以下「周方向ジップ部」という）７とを有する。
【００２４】
周方向ジップ部７は、たばこ包装容器Ａの上蓋Ａｃの開閉時に、上蓋Ａｃが筒状部材２に干渉するのを避けるために余剰部２ｃを本体部２ｂから切り離すための部材である。周方向ジップ部７は、一対の間欠状の切目線７ａ，７ｂが互いに平行に並んで形成されており、その一端では、これら一対の切目線同士の間にも切目７ｃが形成されている。これにより、周方向ジップ部７は、上記一端の切目７ｃから切目線７ａ，７ｂに沿って筒状部材２を線状に切取可能となる。なお、一対の切目線７ａ，７ｂの内、切目線７ａが上側、切目線７ｂが下側に形成されているものとする。また、切目線７ａ，７ｂは、周方向ジップ部７をスムーズに切取可能とするために鋸歯状に形成されている。
【００２５】
周方向ジップ部７は、筒状部材２の上部において、軸線Ｌ２方向に対して垂直な方向（すなわち、たばこ包装容器用スリーブ１の前後左右方向）に一周に亘って設けられている。また、周方向ジップ部７は、たばこ包装容器用スリーブ１がたばこ包装容器Ａの外周面Ａａに装着された状態において、周方向ジップ部７を構成する１対の切目線７ａ，７ｂの内の下側の切目線７ｂがたばこ包装容器Ａの上蓋Ａｃの最下部より若干下側に位置するように形成されている。これらにより、周方向ジップ部７を切り取って余剰部２ｃを除去すると、筒状部材２は下側の切目線７ｂより上側が切り離され、たばこ包装容器Ａの上蓋Ａｃの開閉時に上蓋Ａｃの回動を妨げる位置から筒状部材２が取り除かれる。
【００２６】
筒状部材２は、余剰部２ｃの後面の上部に、切取可能な切取部８を有している。切取部８には、たばこ包装容器Ａに収容されたたばこがサンプリング品として配付されたことの確証となる情報９が表示されている。確証となる情報９としては、例えば、たばこがサンプリング品として配付された日付及び配付者のサインの記入欄を含んでもよい。
【００２７】
切取部８の下端には、余剰部２ｃから切取部８のみを切取可能とするための切目線８ａが形成されており、切目線８ａに沿って切取部８を容易に切り取ることができる。
【００２８】
図３は、たばこ包装容器用スリーブの接着部材及び剥離部材を筒状部材に接着する前の状態を示す平面図である。図４は、図１のＩＶ−ＩＶ線に沿った断面図であり、筒状部材、接着部材及び剥離部材の配置を示す概略断面図である。図３及び図４に示すように、接着部材３は、たばこ包装容器用スリーブ１をたばこ包装容器Ａに接着して固定するためのものである。接着部材３は、矩形のシート状を呈し、筒状部材２の本体部２ｂの前面側における内周面２ａに接着されている。
【００２９】
接着部材３は、筒状部材２に接着された第１接着剤３ａと、剥離部材４に接着された第２接着剤３ｂと、第１接着剤３ａ及び第２接着剤３ｂの間に配置された複数層からなる基材３ｃと、が積層して構成されている。本実施形態においては第１接着剤３ａ、第２接着剤３ｂ、基材３ｃの材料について、特に好ましい例として、第１接着剤３ａには、強度粘着タイプのノンキャリアアクリル系エマルジョンを用いており、第２接着剤３ｂには、ＲＰＣ−Ｕ２、７ＫＷのアクリル系エマルジョン型強粘着冷食タイプを用いており、基材３ｃには、ＲＰＣ−Ｕ２、７ＫＷの改ざん防止用表面基材を用いている。なお、各材料は上記のものに限定されない。また、基材３ｃを構成する各層間の少なくとも一つの結合強度は、基材３ｃと第１接着剤３ａとの接着強度よりも弱く、且つ基材３ｃと第２接着剤３ｂとの接着強度よりも弱いと好ましい。
【００３０】
剥離部材４は、たばこ包装容器用スリーブ１がたばこ包装容器Ａの外周面Ａａに接着して固定される前の状態（初期状態）において、接着部材３のたばこ包装容器Ａ側の接着面３ｓを覆うものである。剥離部材４は、一方向に長い矩形のシート状を呈する。剥離部材４は、長手方向Ｄの一端側にカバー部４ａを有し、長手方向Ｄの他端側につまみ片４ｂを有する。
【００３１】
カバー部４ａは、接着部材３のたばこ包装容器Ａ側の接着面３ｓを覆うことにより、筒状部材２の内周面同士等が貼り付くことを防止すると共に、筒状部材２にたばこ包装容器Ａを挿入する際にたばこ包装容器Ａが接着面３ｓに貼り付くことを防止するものである。カバー部４ａは、接着面３ｓの全体を覆うように接着面３ｓに貼着されている。カバー部４ａは、接着面３ｓから剥離可能であり、接着面３ｓを構成する第２接着剤３ｂがカバー部４ａ上に残らないように剥離できる。
【００３２】
つまみ片４ｂは、筒状部材２にたばこ包装容器Ａが挿入された状態でつまみ片４ｂを操作して、剥離部材４を接着部材３の接着面３ｓから剥離させるためのものである。つまみ片４ｂは、剥離部材４がカバー部４ａの下端から折り返され、カバー部４ａを超えて、筒状部材２の外側に張り出した部分である（図１参照）。
【００３３】
続いて、たばこ包装容器用スリーブ１の作用・効果について説明する。まず、たばこの配付を行うための事前準備として、筒状部材２の切取部８に設けられた日付及び配付者のサインの記入欄に、たばこがサンプリング品として配付される日付、及び、配付を行う配付者のサインをそれぞれ記入しておく。
【００３４】
次に、配付するたばこが収容されたたばこ包装容器Ａを、配付に先立って予めたばこ包装容器用スリーブ１に挿入しておく。ここで、初期状態において、接着部材３の接着面３ｓは剥離部材４のカバー部４ａにより覆われている。従って、この状態では、たばこ包装容器Ａは、接着面３ｓに貼り付くことなくスムーズに筒状部材２に挿入される。
【００３５】
次に、例えば店頭で客等にたばこを配付する際、配付の度に、切取部８を切り取って回収する。これにより、たばこをサンプリング品として配付した日付、及び、配付を行った配付者のサインがそれぞれ記入された切取部８が、たばこがサンプリング品として配付されたことの確証となる。
【００３６】
また、配付の度に剥離部材４のつまみ片４ｂを操作して剥離部材４を接着部材３の接着面３ｓから剥離させることによって、たばこ包装容器Ａとたばこ包装容器用スリーブ１とを容易に接着することができる。より具体的には、筒状部材２の外側に張り出したつまみ片４ｂを例えば指先でつまんで引くと、剥離部材４の折り返し部分４ｃにおいてカバー部４ａが接着部材３から剥離する。更につまみ片４ｂを引き続けると、カバー部４ａが接着部材３から順次剥離し、最終的には、接着部材３の全面に亘って剥離する。以上により、つまみ片４ｂを引くだけの簡単な操作によって、たばこ包装容器Ａとたばこ包装容器用スリーブ１とを、たばこ包装容器用スリーブ１の接着部材３によって接着することができる。従って、たばこが配付されたものであることを示す目印を容易に付すことができる。
【００３７】
なお、配付に先立って予め筒状部材２にたばこ包装容器Ａを挿入したとしても、上述したようにつまみ片４ｂを引くまでは、たばこ包装容器Ａとたばこ包装容器用スリーブ１とは接着されていないため、筒状部材２からたばこ包装容器Ａを抜き取ることができる。従って、配付されずに残ったたばこを販売用商品に戻すことができる。
【００３８】
ここで、たばこ包装容器用スリーブ１には、配付されたたばこがサンプリング品であることを示す目印となる文字５が付されているため、目印となる文字５を容易にたばこ包装容器Ａに付すことができる。
【００３９】
また、たばこ包装容器用スリーブ１には広告の表示６が付されてされているため、広告の表示６がたばこ包装容器Ａに付されることとなる。筒状部材２はたばこ包装容器Ａの外周面Ａａの全体を覆うように形成されているため、広告表示用の広いスペースを確保できる。
【００４０】
なお、このようにたばこ包装容器Ａとたばこ包装容器用スリーブ１とが接着部材３によって接着された状態において、たばこ包装容器Ａからたばこ包装容器用スリーブ１を剥がそうとすると、複数層からなる基材３ｃは何れかの層間で剥離し、第１接着剤３ａ側の層は筒状部材２の本体部２ｂに残り、第２接着剤３ｂ側の層はたばこ包装容器Ａ側に残る。つまり、たばこ包装容器Ａ側に残った層が目印として残るので、たばこがサンプル品として配付されたものであることを示す目印を容易には抹消できなくなる。その結果、サンプル品を転売する等の行為を防ぐことができる。
【００４１】
次に、図５に示すように、たばこ包装容器Ａに接着されたたばこ包装容器用スリーブ１において、周方向ジップ部７を切り取ることで必然的に余剰部２ｃは本体部２ｂから切り離される。余剰部２ｃは、たばこ包装容器Ａの開閉式の上蓋Ａｃに対応する位置、具体的には、上蓋Ａｃを覆う位置にあるので、余剰部２ｃを本体部２ｂから分離除去することで、上蓋Ａｃの開閉動作時における上蓋Ａｃと筒状部材２との干渉を防ぐことができる。
【００４２】
続いて、図６を参照して、本実施形態に係るたばこ包装容器用スリーブの変形例について説明する。変形例に係るたばこ包装容器用スリーブ１０は、上記たばこ包装容器用スリーブ１に比較して、ジップ部が相違している。
【００４３】
図６は、変形例に係るたばこ包装容器用スリーブを示す斜視図である。図６に示すように、たばこ包装容器用スリーブ１０の筒状部材１２は、周方向ジップ部７の代わりに、筒状部材１２の上縁部１２ｄから下縁部１２ｅまでを連続的に結ぶ線状で、且つ切取可能なジップ部（以下「縦方向ジップ部」という）１７を有している。縦方向ジップ部１７を切り取ると、筒状部材１２が帯状に展開される。
【００４４】
縦方向ジップ部１７は、一対の間欠状の切目線１７ａ，１７ｂによって構成されている。縦方向ジップ部１７は、たばこ包装容器用スリーブ１０の左右何れかの側面（図６に示す例では右側面）の全面によって構成されている。すなわち、切目線１７ａはたばこ包装容器Ａの右側面と前面との境界となる辺に沿って形成されており、切目線１７ｂはたばこ包装容器Ａの右側面と後面との境界となる辺に沿って形成されている。また、切目線１７ａ，１７ｂは、縦方向ジップ部１７をスムーズに切取可能とするために鋸歯状に形成されている。なお、図６においては、縦方向ジップ部１７を下縁部１２ｅ側から途中まで切り取った状態を仮想線により図示している。
【００４５】
縦方向ジップ部１７が切り取られて筒状部材１２が帯状に展開されると、筒状部材１２をたばこ包装容器Ａから容易に剥がすことが可能となる。そして、筒状部材１２をたばこ包装容器Ａから剥がすことにより、たばこ包装容器Ａの上蓋Ａｃの開閉動作時における上蓋Ａｃと筒状部材１２との干渉を防ぐことができる。このとき、帯状に展開された筒状部材１２をたばこ包装容器Ａから剥がそうとすると、接着部材３の一部がたばこ包装容器Ａ側に残る。つまり、たばこ包装容器Ａ側に残った接着部材３の一部が目印として残るので、たばこが配付されたものであることを示す目印を容易には抹消できない。
【００４６】
また、縦方向ジップ部１７をたばこ包装容器用スリーブ１０の左右何れかの側面に設けた場合、たばこ包装容器用スリーブ１０の前後面にジップ部を設ける必要がないことから、周方向ジップ部７を設ける場合に比較して、たばこ包装容器用スリーブ１０の前後面における広告の表示６の面積を広く確保することができる。従って、たばこ包装容器用スリーブ１０の前後面に注意書き、成分表示等を記載する場合であっても、広告の表示６のためのスペースを十分に確保できる。
【００４７】
続いて、図７を参照して、本実施形態に係るたばこ包装容器用スリーブの他の変形例について説明する。他の変形例に係るたばこ包装容器用スリーブ２０は、上記たばこ包装容器用スリーブ１に比較して、筒状部材及び剥離部材が相違している。
【００４８】
図７は、他の変形例に係るたばこ包装容器用スリーブを示す斜視図である。図７に示すように、たばこ包装容器用スリーブ２０において、筒状部材２２はたばこ包装容器Ａに対して上下方向に短く形成されており、且つ、筒状部材２２はジップ部を有していない。筒状部材２２は、たばこ包装容器Ａに対して上下方向に短く形成されていることから、筒状部材２２がたばこ包装容器Ａの上蓋Ａｃを覆わない位置に装着することができる。これにより、上蓋Ａｃの開閉時に上蓋Ａｃと筒状部材２２とが干渉しないため、筒状部材２２にジップ部を設ける必要がない。
【００４９】
また、たばこ包装容器用スリーブ２０において、筒状部材２２は切取部を有しておらず、且つ、剥離部材２４のつまみ片２４ｂには、たばこ包装容器Ａに収容されたたばこがサンプリング品として配付されたことの確証となる情報２９が表示されている。確証となる情報２９としては、例えば、たばこがサンプリング品として配付された日付及び配付者のサインの記入欄を含んでもよい。上記構成により、たばこを配付する際に回収された剥離部材２４をたばこがサンプリング品として配付されたことの確証とすることができるため、このような確証となる情報２９を表示した切取部を設けてたばこを配付する際に切取部を回収する必要がない。
【００５０】
以上、本考案の好適な実施形態について説明したが、本考案は上記実施形態に限定されるものではない。例えば、上記実施形態では、周方向ジップ部７は、軸線Ｌ２方向に対して垂直な方向に一周に亘って設けられているとして説明したが、周方向ジップ部７は、軸線Ｌ２方向と交差する方向に設けられていればよい。すなわち、周方向ジップ部７は、たばこ包装容器Ａの上蓋Ａｃの開閉時に上蓋Ａｃの回動を妨げる位置から筒状部材２を取り除くことができれば、必ずしも軸線Ｌ２方向に対して垂直な方向に一周に亘って設けられていなくてもよい。
【００５１】
また、縦方向ジップ部１７は、たばこ包装容器Ａの右側面の全面に設けられているとして説明したが、縦方向ジップ部１７は、上縁部１２ｄから下縁部１２ｅまでを連続的に結び、線状に切取可能であればよい。例えば、縦方向ジップ部１７は、たばこ包装容器Ａの左側面、前面又は後面に設けられていてもよく、複数の側面に亘って設けられていてもよい。また、縦方向ジップ部１７は、たばこ包装容器Ａの各側面の全面によって構成されていなくてもよく、各切目線がたばこ包装容器用スリーブ１０の各辺から離間した位置に設けられていてもよい。また、縦方向ジップ部１７は、軸線Ｌ２方向に対して平行に設けられていなくてもよく、軸線Ｌ２方向と交差する方向に設けられていてもよい。
【符号の説明】
【００５２】
１，１０，２０…たばこ包装容器用スリーブ、２，１２，２２…筒状部材、２ａ…内周面、２ｂ…本体部、２ｃ…余剰部、３…接着部材、３ａ…第１接着剤、３ｂ…第２接着剤、３ｃ…基材、３ｓ…接着面、１２ｄ…上縁部、１２ｅ…下縁部、４，２４…剥離部材、４ａ…カバー部、４ｂ，２４ｂ…つまみ片、７…周方向ジップ部、８…切取部、９，２９…情報、１７…縦方向ジップ部、Ａ…たばこ包装容器、Ａａ…外周面。
【図１】
0003198975.tif 000003
【図２】
0003198975.tif 000004
【図３】
0003198975.tif 000005
【図４】
0003198975.tif 000006
【図５】
0003198975.tif 000007
【図６】
0003198975.tif 000008
【図７】
0003198975.tif 000009